(57)【要約】      （修正有）【課題】生体情報などの変動情報に基づき被験者の離床状態や変動情報を特定可能な情報処理装置を提供する。【解決手段】生体信号など被験者の離床状態を特定するための第１情報と、温度など被験者の周囲の環境状態を特定するための第２情報とを記憶可能な記憶手段と、第１情報及び第２情報を外部に送信可能な送信手段と、外部から所定の設定データを受信可能な受信手段と、設定データに基づいて特定情報を生成可能な生成手段とを備え、送信手段は、第１情報及び第２情報とともに、特定情報を外部に送信可能な構成にしてある。【選択図】図１
2019146966.tif 000002
【特許請求の範囲】
【請求項１】
被験者の離床状態を特定するための第１情報と、当該被験者の周囲の環境状態を特定するための第２情報とを記憶可能な記憶手段と、
前記第１情報及び前記第２情報を外部に送信可能な送信手段と、
外部から所定の設定データを受信可能な受信手段と、
前記設定データ基づいて特定情報を生成可能な生成手段と、
を備え、
前記送信手段は、前記第１情報及び前記第２情報とともに、前記特定情報を外部に送信可能である
ことを特徴とする情報処理装置。
【請求項２】
前記第２情報には、温度、湿度、照度及び気圧のいずれかを特定可能な情報が含まれる
ことを特徴とする請求項１に記載の情報処理装置。
【請求項３】
前記特定情報には、被験者の状態に所定の変化が発生したことを示す警報情報が含まれる
ことを特徴とする請求項１又は請求項２に記載の情報処理装置。
【請求項４】
前記生成手段は、前記受信手段が前記設定データとは異なる設定データを受信することに基づいて、時間帯に応じて異なる基準で前記特定情報を生成可能である
ことを特徴とする請求項１から請求項３のいずれか一項に記載の情報処理装置。
【請求項５】
前記送信手段は、前記第１情報、前記第２情報及び前記特定情報を、一の送信プロセスで外部に送信可能である
ことを特徴とする請求項１から請求項４のいずれか一項に記載の情報処理装置。
【請求項６】
被験者の離床状態を特定するための第１情報と、当該被験者の周囲の環境状態を特定するための第２情報とを記憶可能な記憶手段と、
前記第１情報及び前記第２情報を外部に送信可能な送信手段と、
外部から所定の設定データを受信可能な受信手段と、
を備え、
前記設定データには、時間に関するデータが含まれる
ことを特徴とする情報処理装置。
【発明の詳細な説明】
【技術分野】
【０００１】
本発明は、生体情報などの変動情報に基づき被験者の離床状態や変動情報を特定可能な情報処理装置に関する。
【背景技術】
【０００２】
従来から、寝具等に設けられた各種センサから就寝者（被験者）の生体情報を収集し、これにより被験者の睡眠状態の管理や監視を行う取り組みが行われている。
例えば、特許文献１には、被験者の過去の離床情報から特定される離床パターンに基づいて所定の通報を行う離床通報装置が開示されている。
この離床通報装置は、例えば、ベッドに設けた睡眠状態判定装置と無線ＬＡＮ回線を介して通信可能に接続され、睡眠状態判定装置から出力される被験者の睡眠状態情報を、無線ＬＡＮ回線を介して取得するようになっている（段落００２８，図２等参照）。
【先行技術文献】
【特許文献】
【０００３】
【特許文献１】国際公開第２０１３／０４２６３１号
【発明の概要】
【発明が解決しようとする課題】
【０００４】
しかしながら、離床状態を特定可能な情報等の受け渡しを行う情報処理装置については改良の余地があった。
【課題を解決するための手段】
【０００５】
上記目的を達成するため、本発明の情報処理装置は、被験者の離床状態を特定するための第１情報と、当該被験者の周囲の環境状態を特定するための第２情報とを記憶可能な記憶手段と、第１情報及び前記第２情報を外部に送信可能な送信手段と、外部から所定の設定データを受信可能な受信手段と、設定データ基づいて特定情報を生成可能な生成手段とを備え、送信手段は、第１情報及び第２情報とともに、特定情報を外部に送信可能な構成にしてある。
【図面の簡単な説明】
【０００６】
【図１】本発明の実施形態に係る離床情報処理システムの全体構成を示す図である。
【図２】本発明の実施形態に係る離床情報処理システムの単位構成を示す図である。
【図３】本発明の実施形態に係るモニター装置のブロック図である。
【図４】（ｉ）は、ビーコン及びＳＳＩＤの構成、（ii）は、本実施形態に係るＳＳＩＤのメッセージ部に設定可能な情報の例、（iii）は、本実施形態に係るＳＳＩＤの設定例を示す図である。
【図５】モニター装置登録テーブルの一例を示す図である。
【図６】本発明の実施形態に係る携帯端末のブロック図である。
【図７】状態識別テーブルの一例を示す図である。
【図８Ａ】携帯端末のアプリケーションプログラムに基づいてモニター装置を登録する際に、携帯端末において表示される前半の画面を示す図である。
【図８Ｂ】携帯端末のアプリケーションプログラムに基づいてモニター装置を登録する際に、携帯端末において表示される後半の画面を示す図である。
【図９】携帯端末において表示される各被験者の離床状態の一覧画面を示す図である。
【図１０】（ｉ）は、本実施形態の離床情報処理システムの動作を示すシーケンス図であり、（ii）は、モニター装置と携帯端末との間で通常に行われる無線ＬＡＮの動作を示すシーケンス図である。
【図１１】被験者の過去の離床状態や環境情報の記録を示す図である。
【図１２】携帯端末において表示される情報であって、被験者の過去の睡眠状態を表示した睡眠モニター画面である。
【図１３】警報判定に係る設定画面であって、（ｉ）は、簡易操作モード設定画面、（ii）は、詳細モード設定画面（基本）、（iii）は、詳細モード設定画面（個別）を示す図である。
【図１４】対象時刻とタイマ値を対応付けた警報判定テーブルの一例を示す図である。
【図１５】モニター装置において行われる警報判定動作を示すフローチャートである。
【図１６】本発明の他の実施形態に係る離床情報処理システムの構成を示す図である。
【図１７】本発明の他の実施形態に係るサーバ装置において表示される画面であって、各被験者の状態や環境情報を集中して表示可能な集中モニター画面を示す図である。
【図１８】本発明の他の実施形態に係るサーバ装置において表示される画面であって、所定期間における被験者の睡眠状態を示す睡眠グラフ表示画面を示す図である。
【図１９Ａ】本実施形態のモニター装置からダウンロード可能なデータの一例を示す図である。
【図１９Ｂ】本実施形態のモニター装置からダウンロード可能なデータの一例を示す図である。
【図１９Ｃ】本実施形態のモニター装置からダウンロード可能なデータの一例を示す図である。
【発明を実施するための形態】
【０００７】
以下、本発明の一実施形態に係る離床情報処理装置、情報処理装置、及び離床情報処理装置を備えた離床情報処理システム、並びに離床情報処理プログラムの好ましい実施形態について、図１〜図１９を参照して説明する。
【０００８】
図１は、本発明の実施形態に係る離床情報処理システムの全体構成を示す図である。図２は、本発明の実施形態に係る離床情報処理システムの単位構成を示す図である。
図１及び図２に示すように、本実施形態に係る離床情報処理システムは、被験者の体動を検知するエアバッグセンサ２と電気的に接続されたモニター装置１と、モニター装置１から送信される情報であって、被験者の離床状態等を特定可能な情報を受信する携帯端末４とを備える。
本実施形態の離床情報処理システムは、例えば、高齢者が複数又は単身で居住する老人ホームなどの施設や住宅等に導入されることを想定しており、居住者の離床状態等を、施設の管理者や居住者の家族が、自身が携行する携帯端末４を介して把握できるようにしている。
以下、このような離床情報処理システムの構成について説明する。
【０００９】
（エアバッグセンサ）
エアバッグセンサ２は、例えば、図１、図２に示すように、被験者が横たわる寝具とベッドの間に設けられ、被験者からの外的な作用を受けて内圧が変動するエアバッグ２１と、エアバッグ２１の圧力や当該圧力の変動を検知するとともに検知した圧力に応じた値を示す生体信号を生成して出力する圧力検知部２２を本発明の検出手段として備える。
エアバッグ２１は、二枚の帯状の樹脂フィルムの周縁を熱融着、接着等により接合し、袋状に形成したものであり、内部に充填された空気を流出不能な機密性を備えている。樹脂フィルムは、塩化ビニル、ゴム等からなり、自らの形状を保持可能な弾性と、被験者からの外的な作用に対する内圧変動に耐え得る強度を備えている。
図２に示すように、エアバッグ２１は、正面視においては、被験者からの外的作用を受けやすいよう、被験者との接触面積を広くするために、帯状に形成され、側面視においては、被験者に異物感を与えないように扁平に形成されている。
また、エアバッグ２１の圧力検知部２２が接続される部分には、エアバッグ２１内の空気を圧力検知部２２に流通させるための、図示しない中空状のチューブが設けられている。
【００１０】
エアバッグ２１は、被験者からの外的な作用を受けることで、内圧が変化する。
具体的には、エアバッグ２１上で、被験者が横たわる動作や、エアバッグ上に横たわっている被験者から発せられる心拍、呼吸、寝返り、いびきなどに起因する体動により、被験者からの外的な作用を受ける。
これに伴い、エアバッグ２１の内部では、空気が外圧を受けて圧縮し、チューブを通して圧力検知部２２に流入するようになっている。
【００１１】
圧力検知部２２は、エアバッグ２１から流入してきた空気の圧力を検知し、この圧力に応じた値を示す生体信号をモニター装置１に出力する。
この圧力検知部２２には、圧力センサが設けられている。圧力センサは、気体に直接接触する位置に配置されており、この気体の圧力に応じた電流値又は電圧値からなる生体情報を生体信号として出力する。
圧力検知部２２とモニター装置１とは、電気的に接続されており、生体信号を受信可能となっている。
【００１２】
（モニター装置）
モニター装置１は、本発明の離床情報処理装置に相当し、被験者の離床状態を特定可能な生体情報の他、周囲の環境情報などの変動情報を検知する情報処理装置である。
「離床状態」には、被験者がベッドから離れている状態に相当する「離床」のほか、被験者がベッドに入ったときの状態に相当する「入床」、被験者が入床し離床していない状態に相当する「在床」がある。
また、「離床状態」には、在床中の被験者の睡眠状態も含む。睡眠状態には、例えば、被験者が眠りに入った状態である「入眠」や、被験者が覚醒（起床）した状態である「覚醒（起床）」や、「入眠」から「覚醒（起床）」までの状態である「睡眠中」がある。さらに、「睡眠中」の状態を、浅い眠りの状態（レム睡眠状態）や、深い眠りの状態（ノンレム睡眠状態）に分けることもできる。
「環境情報」は、例えば、温度、湿度、照度、気圧などの情報が相当する。
【００１３】
モニター装置１は、具体的には、図３に示すように、生体信号入力部１１と、環境センサ１２と、無線通信部１３と、計時部１４と、記憶部１５と、制御部１６と、を備えている。
生体信号入力部１１は、エアバッグセンサ２から出力された生体信号を、接続ケーブル等を介して入力する。
なお、本実施形態のモニター装置１は、エアバッグセンサ２を外付けする構成であるが、エアバッグセンサ２を内蔵する構成とすることもできる。
環境センサ１２は、例えば、温度センサ、湿度センサ、照度センサ、気圧センサからなり、被験者の周囲の温度、湿度、照度、気圧といった環境情報を検知して入力する。
なお、本実施形態の環境センサ１２は、モニター装置１に内蔵された構成であるが、モニター装置１に外付けする構成とすることもできる。
また、温度センサ、湿度センサ、照度センサ、気圧センサの全部もしくはこれらの一部を環境センサ１２として用いることができ、一部のセンサの組合せを環境センサ１２として用いることができる。
【００１４】
無線通信部１３は、所定の電波を発信する図示しないアンテナを備え、一定の受信強度エリア内（受信可能エリア内）に位置する携帯端末４との間で無線によるデータ通信を可能とする通信手段である。
具体的には、無線通信部１３は、ＩＥＥＥ８０２．１１規格（ＩＥＥＥ８０２．１１ｂ／ｇ等を含む無線ＬＡＮ全般の規格をいう。）に対応した無線ＬＡＮ（Ｗｉ−Ｆｉ：登録商標）の通信インタフェースである。
【００１５】
無線通信部１３により送信されるデータには、モニター装置１を特定可能なＳＳＩＤを含むビーコンがある。
ビーコンは、常時、所定間隔（例えば、１００ミリ秒間隔）で配信（送信）される。ビーコンの受信可能エリアは、モニター装置１から見通し約１００ｍの同心円状エリアの範囲である。
無線通信部１３が受信するデータには、ビーコンの受信可能エリア内に位置する携帯端末４から送信されるデータであって、モニター装置登録テーブルｔ１の登録データ（図５参照）や、警報判定テーブルｔ３の設定データがある（図１４参照）。
また、無線通信部１３を介して送受信されるデータには、携帯端末４との間で通信回線（データリンク）を確立する際に、予め相互に受け渡されるデータがある。
このようなデータとしては、少なくとも、携帯端末４から受信する接続要求やこの接続要求に対する応答であって携帯端末４に送信する接続応答がある。
【００１６】
なお、本実施形態の離床情報処理システムは、図１等に示すように、モニター装置１と、当該モニター装置１から常時送信されるビーコンの受信可能エリア内に位置する携帯端末４とによって構成されるネットワークシステムであり、外部ネットワークとの接続を必ずとも必要としない。
このため、モニター装置１は、無線ＬＡＮの親機（アクセスポイント）として、子機である携帯端末４との接続のみを可能とするアクセスポイントモードで動作させるものとする。
また、複数の携帯端末４とアクセスポイントとを接続するためのインフラストラクチャモードで動作させるものとする。
【００１７】
計時部１４は、日時や時間などの時間情報を計測する。
例えば、被験者が離床した離床時刻や、離床時刻を基準として被験者が離床し続けている離床時間を計測する。
【００１８】
記憶部１５は、例えば、制御部１６を構成するＲＡＭや、制御部１６により接続されるＥＥＰＲＯＭやフラッシュメモリ等の不揮発性メモリ等により構成され、モニター装置１の有する機能を実行するためのプログラムやデータを記憶する記憶手段である。
記憶部１５に記憶されるデータには、モニター装置１を特定可能な識別情報であって、ビーコンの一部を構成するＳＳＩＤ（Service  Set  Identifier）がある。
ＳＳＩＤは、図４（ｉ）に示すように、最大３２桁の文字列情報（英数字及び所定の記号）で構成され、予め設定されている文字列を、任意の文字列に変更することができるようになっている。
本実施形態の記憶部１５は、後記制御部１６の設定動作によって変更されたＳＳＩＤを記憶する。
また、記憶部１５に記憶されるデータには、モニター装置登録テーブルｔ１（図５参照）、被験者の離床状態や環境情報を時間情報と対応付けて記録した記録情報（図１１参照）、警報判定テーブルｔ３（図１４参照）などがある。
【００１９】
制御部１６は、ＣＰＵを備えるコンピュータで構成され、ＩＥＥＥ８０２．１１規格に規定される接続プロセスに基づく接続動作を行うことで、ビーコンの受信可能エリア内に位置する同規格の携帯端末４との間で、データの送受信を可能としている。
具体的には、携帯端末４が指定したＳＳＩＤに基づき、自身のＳＳＩＤを含む所定の接続要求を受信し、その接続要求に対する接続応答を携帯端末４に送信することによって、携帯端末４との間でデータリンクを確立する。
データリンクが確立されると、モニター装置１と携帯端末４との間でデータの送受信が可能となる（図１０（ii）参照）。
なお、データリンクの確立には、上記の接続要求及び接続応答の前段階の動作として、ビーコンを受信できない携帯端末４からプローブ要求を受信し、プローブ要求に対するプローブ応答を携帯端末４に送信する動作や、所定の認証を行う場合に認証情報等を相互に送受信する動作が、上記接続プロセスに含まれる場合がある。
【００２０】
ここで、本実施形態のモニター装置１は、上記接続プロセスに基づく接続動作により携帯端末４との間で双方向のデータ通信を可能としながらも、このような接続プロセスを経ることなく、携帯端末４に被験者の離床状態を特定可能なデータを送信するようにしている。具体的には、制御部１６が、以下の動作を行う。
【００２１】
制御部１６は、所定の操作に基づき、ＳＳＩＤの桁数のうち、第一範囲の桁数に対応する第一情報を設定する第一設定手段として動作する。
また、制御部１６は、所定の検出手段により検出された離床状態に係る変動情報に基づき、ＳＳＩＤの桁数のうち、第二範囲の桁数に対応する第二情報を設定する第二設定手段として動作する。
第一設定手段及び第二設定手段により第一情報及び第二情報を設定することで、具体的には、図４（ｉ）に示すように、「施設固有情報」、「モニター装置管理番号」、「被験者名」、及び「メッセージ部」からなるＳＳＩＤを生成するようにしている。
「施設固有情報」は、離床情報処理システムが設置されている施設を特定可能な識別情報である。「モニター装置管理番号」は、モニター装置１を特定可能な識別情報であり、例えば、モニター装置１が設置される部屋番号やベッド番号を用いることができる。「被験者名」は、被験者を特定可能な氏名等が相当する。「メッセージ部」は、被験者の離床状態や環境情報等を含む変動情報によって構成される。
このうち、施設固有情報、モニター管理番号及び被験者名が本発明の第一情報であり（図４（iii）参照）、これらの情報は、所定操作に基づいて設定することができる。
なお、施設固有情報、モニター管理番号及び被験者名の全部もしくはこれらの一部を第一情報として用いることができ、一部の情報の組合せを第一情報として用いることができる。
具体的には、携帯端末４の操作によるモニター装置１の登録動作に基づいてモニター装置登録テーブルｔ１（図５参照）が登録され、このモニター装置登録テーブルｔ１に基づいて第一情報が設定される。
【００２２】
モニター装置登録テーブルｔ１の登録方法について、図８Ａ及び図８Ｂを参照して説明する。
なお、携帯端末４には、所定のアプリケーションプログラム（後記アプリ）がインストールされており、このアプリの動作により表示される案内画面に従って登録操作を行うものとする。また、管理番号１０１〜１０３のモニター装置１は既に登録されており、登録対象のモニター装置１の施設固有情報は登録されているものとする。
【００２３】
まず、携帯端末４における所定の操作によって、図８Ａ（ｉ）に示すモニター装置登録画面を表示部４３に表示させる。
モニター装置登録画面において、モニター装置１の登録を続ける「はい」ボタンを選択すると、図８Ａ（ii）に示すホーム画面が表示される。
ホーム画面において、「動作確認＆設定」ボタンを選択すると、図８Ａ（iii）に示す設定画面が表示される。
設定画面において、「センサー登録・変更」ボタンを選択すると、図８Ａ（iv）に示すモニター装置１の一覧表示画面が表示される。なお、未登録（登録対象）のモニター装置１については、管理番号等が表示されず、ＳＳＩＤがそのまま表示される。
【００２４】
未登録のモニター装置１を選択すると、図８Ｂ（ｉ）に示すパスワード入力画面が表示される。
パスワード入力欄に、所定のパスワード（例えば、モニター装置１に同梱されている案内に記載されたパスワードや、モニター装置１に貼付した二次元コードを携帯端末４のカメラ機能により読み取ることで、自動的に入力されるパスワード）を入力し、「接続」ボタンを選択すると、携帯端末４は、モニター装置１と接続を行いつつ、管理番号、名前、変更パスワードの入力を促す画面を表示する。
「接続」ボタンの選択に応じ、携帯端末４からモニター装置１に対し接続要求が行われ、その接続応答があることによりデータリンクが確立されると、モニター装置１は携帯端末４からのデータを受信可能な状態になる。
ここで、画面の案内に従い、管理番号（１０４）、名前（渡辺）を入力し、「設定」ボタンを選択すると、これらの登録データがモニター装置１に送信される。なお、パスワードを変更する場合は、変更後のパスワードを入力し設定ボタンを選択することで変更することができる。
モニター装置１は、携帯端末４から登録データを受信すると、この登録データに基づきモニター装置登録テーブルｔ１を記憶部１５に記憶する（図５参照）。携帯端末４では、図８Ｂ（iii）に示す登録完了画面が表示される。
これにより、モニター装置登録テーブルｔ１の登録が完了する。
なお、被験者に変更があった場合等、上記と同様の操作を行うことで、モニター装置登録テーブルｔ１の該当箇所が変更される。
【００２５】
制御部１６は、モニター装置登録テーブルｔ１を参照し、対応する第一情報として１桁目〜１７桁目（第一範囲の桁数）に施設固有情報、モニター装置管理番号、被験者名と設定する。具体的には、１桁目〜６桁目に施設固有情報（「ＳＳ−２００」等）を設定し、７桁目〜９桁目にモニター装置管理番号（「１０４」等）を設定し、１０桁目〜１７桁目に被験者名（「１２３４５６７８」等）を設定する（図４（i），（iii）参照）。なお、被験者名の情報は、「渡辺」の漢字のコード情報であって、モニター装置登録テーブルｔ１に登録された漢字名を、例えば、ＪＩＳ、ＵＴＦ−８等に基づき自動的にコード化して設定することができる。
【００２６】
図４（ii）に示すように、「メッセージ部」には、入眠、入床、起床、離床といった被験者の離床状態を特定可能な情報（離床状態情報）や、温度、湿度、照度、気圧といった被験者の周囲の環境情報や、入床時刻、離床時刻といった時刻や、警報通知の際に用いる警報通知フラグ等の変動情報を設定する。
このうち、離床状態情報は、本発明の第二情報に相当し、１８桁目〜１９桁目（第二範囲の桁数）に設定する。例えば、「００」は入眠を示し、「０１」は「入床」を示し、「０１」は「起床（覚醒）」を示し、「１１」を示す。
なお、入眠、入床、起床、離床、温度、湿度、照度、気圧、入床時刻、離床時刻、警報通知フラグの全部もしくはこれらの一部をメッセージ部の設定情報として用いることができ、一部の情報の組合せをメッセージ部の設定情報として用いることができる。
【００２７】
第二情報は、例えば、後記離床判定手段により判定される離床状態が変化したときに、その変化した離床状態情報を設定することができる。
離床判定手段は、被験者の離床状態を判定する手段であり、具体的には、制御部１６が、生体信号入力部１１により入力される生体信号（生体情報）に基づいて判定することができる。
例えば、生体信号が検知（入力）されない場合に「離床」、生体信号が検知（入力）されている場合に「在床」と判定することができる。
そして、制御部１６は、離床検出手段として動作することで、離床判定手段により判定される離床状態に基づき、離床状態が変化したことを検出することができる。
例えば、離床状態が、「離床」から「在床」に変化したときを「入床」と判定することができる。この場合、「入床」を示す離床状態情報が第二情報に相当する。
また、在床中に検知される生体信号の特徴的な変化に基づいて、「入眠」や「覚醒（起床）」を検出することができ、この場合、「入眠」、「覚醒（起床）を示す離床状態情報が、それぞれ第二情報に相当する。
なお、第二情報の設定は、離床状態が変化したタイミングではなく、所定の時刻又は一定の間隔にもとづいて設定することもできる。
環境情報は、例えば、２０桁目〜２２桁目に設定することができ、環境センサ１２の入力値をそのまま設定することができる。
環境情報の設定は、第二情報の設定と同じタイミングか、個別に設定したタイミングで行うことができる。例えば、入力値の変化が所定の閾値を超えた場合や、所定の時刻又は一定の間隔に基づいて設定することができる。
【００２８】
図４（iii）は、第一情報、第二情報、環境情報の設定によって生成されたＳＳＩＤの一例である。
生成されたＳＳＩＤは、記憶部１５の所定領域に記憶され、ＳＳＩＤが設定されるたびに上書きして変更（更新）される。
このため、ＳＳＩＤのうち、第一範囲の桁数部分については、第一情報が設定されたときに変更され、その後、変更がない限り固定される。
ＳＳＩＤのうち、第二範囲の桁数部分については、離床状態が変化するたびに、第二情報に変更される。
【００２９】
制御部１６は、無線通信部１３がビーコンを送信する際に、第一情報及び第二情報が設定されたＳＳＩＤを記憶部１５から取り出し、これをビーコンに含めて周囲に送信する動作を行う。
これにより、受信可能エリア内に位置する携帯端末４は、ビーコンを受信することで、ビーコンに含まれるＳＳＩＤから、モニター装置１の管理番号、被験者名、被験者の離床状態を特定可能な離床状態情報、環境情報等を取得することができる。
【００３０】
（携帯端末）
携帯端末４は、本発明の通信端末装置であり、例えば、スマートフォン、タブレットといった携行可能な通信端末装置が相当する。
携帯端末４は、図６に示すように、無線通信部４１と、記憶部４２と、表示部４３と、制御部４４とを備えている。
無線通信部４１は、ＩＥＥＥ８０２．１１規格に対応した無線ＬＡＮの通信インタフェースであり、同規格の通信ＬＡＮインタフェースを有するモニター装置１との間で、所定の接続プロセスに基づく接続動作を行うことにより、データの送受信を可能としている。
無線通信部４１が受信するデータには、モニター装置１から送信されるビーコンがある。すなわち、無線通信部４１は、ビーコンに含まれるＳＳＩＤを受信する受信手段として動作する。
無線通信部４１から送信されるデータには、モニター装置登録テーブルｔ１の登録データ（図５参照）や警報判定テーブルｔ３の設定データがある（図１４参照）。
また、無線通信部４１を介して送受信されるデータには、モニター装置１との間でデータリンクを確立する際に予め相互に受け渡されるデータがある。
このようなデータとしては、モニター装置１に送信する接続要求や、この接続要求に対し、モニター装置１から受信する接続応答がある。
【００３１】
記憶部４２は、例えば、制御部４４を構成するＲＡＭや、制御部４４により接続されるＥＥＰＲＯＭやフラッシュメモリ等の不揮発性メモリ等により構成され、携帯端末４が備える各種機能を実行するためのプログラムやデータを記憶する。
記憶部４２に記憶されるプログラムには、本発明の離床情報処理プログラムに相当するプログラムであって、モニター装置１から送信されるＳＳＩＤに基づき、被験者の離床状態等を表示させるためのアプリケーションプログラム（以下、アプリという。）がある。
アプリは、所定のウェブサイトからダウンロードし、又は、ＵＳＢメモリなどの外部記憶媒体からインストールすることができる。
記憶部４２に記憶されるデータには、離床状態情報とアイコン識別情報とが対応付けられた状態識別テーブルｔ２がある。状態識別テーブルｔ２は、予めアプリに含まれており、アプリをインストールすることで、記憶部４２に記憶される。
【００３２】
表示部４３は、液晶ディスプレイや有機ＥＬディスプレイ等からなり、被験者の離床状態、睡眠状態、環境情報を表示することができる。
また、表示部４３は、タッチ操作可能なタッチパネルで構成され、各種設定画面等において指やタッチペンで画面上を触れることにより、設定を受け付ける。
【００３３】
制御部４４は、ＣＰＵを備えるコンピュータで構成され、記憶部４２に記憶されているプログラムを実行することで、携帯端末４が備える各種機能を実行する。
例えば、所定の接続動作を行うことによって、モニター装置１との間で双方向にデータ通信が可能なデータリンクを確立することができる。
【００３４】
制御部４４は、表示手段である表示部４３に、受信手段により受信したＳＳＩＤに基づき、離床状態を特定可能な情報を表示する動作を行わせる。
具体的には、ＳＳＩＤのうち、離床状態情報が設定されている１８桁目〜１９桁目について、制御部４４は、状態識別テーブルｔ２を参照して対応するアイコン識別情報を特定する。例えば、図４（iii）に示す情報が設定されたＳＳＩＤを受信した場合、このＳＳＩＤの１８桁目〜１９桁目は「１１」であることから、状態識別テーブルｔ２から、「覚醒（起床）」を示す「アイコンｄ」を特定することができる。
被験者名のコード情報が設定されている１０桁目〜１７桁目については、制御部４４は、デコーディングすることで、漢字名を特定することができる。これにより、１０桁目〜１７桁目の「１２３４５６７８」から被験者名「渡辺」を特定することができる。
その他、ＳＳＩＤの所定桁数のうち、１桁目〜６桁目は施設固有情報、７桁目〜９桁目はモニター装置管理番号、２０桁目〜２２桁目は温度情報であり、制御部４４は、これらの情報については、そのまま取り扱われる。
【００３５】
したがって、図４（iii）に示すＳＳＩＤからは、施設固有情報「ＳＳ−２００」、モニター装置管理番号「１０１」、被験者名「渡辺」、離床状態「覚醒（起床）」、アイコン識別情報「アイコンｄ」、温度「２０°Ｃ」を抽出することができる。
これにより、携帯端末４では、これら抽出した情報に基づいて、各被験者の離床状態等を表示させることができる。
具体的には、図９に示すように、モニター装置１の管理番号と被験者名と離床状態アイコンとを対応付け、この対応付けをモニター装置１ごとに一覧にして表示することができる。
例えば、図９からは、管理番号「１０１」の被験者「前田様」は、離床状態アイコンを見ると、起床（在床）であることを把握することができ、同様に、管理番号「１０２」の被験者「鈴木様」は、入眠中であり、管理番号「１０４」の被験者「渡辺様」は、離床中であることを把握することができる。なお、ビーコン等の受信電波の強度に基づき、当該電波強度を識別可能なアイコンを対応付けて表示することもできる（図９参照）。
このため、本実施形態の離床情報処理システムを、例えば、老人ホームなどの施設に導入した場合、ビーコンの受信可能エリア内であれば施設内のどこにいても被験者の離床状態や環境を把握することができる。
【００３６】
また、本実施形態の離床情報処理システムでは、携帯端末４からモニター装置１にアクセスすることにより、被験者の離床状態や環境情報についての過去の記録を取得して、閲覧可能に表示させることができる。
このため、モニター装置１においては、図１１に示すように、管理番号及び被験者ごとに離床状態や環境情報を時間情報に対応付けた記録情報を記憶部１５に記憶するようにしている。
例えば、携帯端末４からの要求によって、被験者の睡眠状態をグラフ表示することができる。
例えば、図８Ａ（ii）に示す画面において「睡眠記録」ボタンを選択すると、図８Ａ（iv）に示す一覧表示画面が表示され、この一覧表示画面に表示されるモニター装置１の中から管理番号「１０１」のモニター装置１を選択することにより、図１２に示す睡眠状態グラフ画面を表示することができる。
睡眠状態グラフにおいては、特定のモニター装置や被験者ごとに過去１週間に亘る各日の睡眠状態（睡眠中、覚醒中）のグラフや睡眠時間を表示するようにしている。このため、被験者の過去の睡眠傾向を容易に把握することができる。
また、被験者の現在の体動信号の有無を表示することもできる。
【００３７】
ところで、過去の一定期間の記録など、ＳＳＩＤのデータフレームに収まらないサイズのデータを、モニター装置１から携帯端末４に送信したり、モニター装置登録テーブルｔ１等、携帯端末４からモニター装置１に対してデータを送信する場合には、携帯端末４とモニター装置１との間でデータリンクを確立する必要がある。
この点、本実施形態の離床情報処理システムのようにＳＳＩＤを変動させて用いる場合、携帯端末４からは接続要求先が特定できず、所望のモニター装置１との間でデータリンクを確立することができない。
このため、所定の場合には、ＳＳＩＤを固定するモード（固定モード）を設定できるようにし、固定モードが設定されている間は、ＳＳＩＤを変動しないようにすることができる。
例えば、睡眠状態グラフを閲覧したい場合は、予め固定モードを設定し、固定されたＳＳＩＤを指定することで所定の接続動作を行うことができる。
【００３８】
このように、本実施形態の離床情報処理システムは、被験者の体動を検知するエアバッグセンサ２と電気的に接続されたモニター装置１と、モニター装置１から送信される情報であって、被験者の離床状態情報を受信する携帯端末４とを備え、モニター装置１が離床状態情報に基づいてＳＳＩＤを生成し、これをビーコンに含めて周囲に送信することで、ビーコンの受信可能エリア内にいる携帯端末４がＳＳＩＤに基づき被験者の離床状態を確認できるようにしている。
このような本実施形態の離床情報処理システムは、モニター装置１と、このモニター装置１から常時周囲に送信されるビーコンの受信可能エリア内に位置する携帯端末４によってネットワークが構築され、外部のネットワークを必要としないため、容易に導入することができる。
また、例えば、本実施形態の離床情報処理システムを、老人ホーム等の施設に導入する場合において、ビーコンの受信可能エリアが施設全体をカバーするようにモニター装置１を設置したときには、管理者等は施設内のどこにいても自身が携行する携帯端末４を介して被験者の離床状態等を確認することができる
【００３９】
また、無線ＬＡＮの親機と子機間で行われる接続プロセスを省きつつ、親機から常時周囲に送信されているビーコンに着目し、このビーコンに含まれるＳＳＩＤに離床状態情報等を含ませることで、迅速で安定した離床情報の受け渡しを可能としている。
このような離床情報処理システムの特徴について、図１０を参照して説明する。
図１０（ｉ）は、本実施形態の離床情報処理システムにおける動作を示すシーケンス図であり、図１０（ii）は、モニター装置と携帯端末との間で通常に行われる無線ＬＡＮの動作を示すシーケンス図である。
図１０（ｉ）に示すように、本実施形態の離床情報処理システムにおいては、モニター装置１から常時送信されるビーコンを携帯端末４が受信し、このビーコンに含まれるＳＳＩＤに基づき所定の情報を表示するようにしている。
これに対し、図１０（ii）に示す通常の無線ＬＡＮの動作においては、ビーコンの送信に加え、携帯端末４からモニター装置１に対して行われる接続要求、モニター装置１から携帯端末４に対して行われる接続応答を行い、このような接続プロセスを経てデータリンクが確立された後に、携帯端末４において必要な情報をモニター装置１から受信することが可能となる。
なお、図示しない接続プロセスとして、接続要求及び接続応答の前段階の動作として、ビーコンを受信できない携帯端末４からプローブ要求を受信し、プローブ要求に対するプローブ応答を携帯端末４に送信する動作や、所定の認証を行う場合に認証情報等を相互に送受信する動作が含まれる場合がある。
【００４０】
すなわち、本実施形態の離床情報処理システムによれば、無線ＬＡＮにおける通常の接続プロセスを経ず、必要な情報により構成したＳＳＩＤをビーコンに含めて片方向の通信（送信のみ）を行うようにしているため、情報の受け渡しを迅速に行うことが可能となる。
また、図１０（ii）に示すように、データリンクを通じてデータ通信を行う方法の場合、電波の受信強度が低い場合や不安定なときには、データリンクの切断やこれに伴う再接続動作が生じ、データの受け渡しができない場合や遅延する問題が生じる。
これに対し、本実施形態の離床情報処理システムでは、携帯端末４において、ビーコンに含まれるＳＳＩＤを受信するだけで足りるため、受信強度が低い場合や不安定な場合であっても、ＳＳＩＤを確実に受け渡すことができる。
【００４１】
（離床時間に基づく警報処理）
次に、離床情報処理システムにおける警報処理について説明する。
警報処理は、被験者の離床を検出した場合に、その離床時間が所定時間を超過した場合に、携帯端末４により警報を出力させる処理である。
この警報処理を可能とするモニター装置１では、制御部１６が、離床検出手段として動作することで、生体情報に基づき被験者が離床したことを検出する動作を行う。被験者の離床は、例えば、離床判定手段による判定に基づき、離床状態が、「在床」又は「覚醒（起床）」から「離床」に変化した場合に検出することができる。
【００４２】
また、制御部１６は、警報判定手段として動作することで、離床が検出された場合、当該離床を継続して検出した離床時間が、当該離床を検出した時刻に対応した所定時間を超過したか否かを判定する。
具体的には、モニター装置１において、予めタイマ値を登録しておき、離床を検出した場合に、その離床時間がタイマ値を超過するか否かを判定する。
【００４３】
タイマ値は、携帯端末４の操作に基づき、以下の手順で登録することができる。
例えば、一覧表示画面（図９）に表示されているモニター装置１の中から対象のモニター装置１を選択し、これにより、図１３（ｉ）に示す動作モード設定画面を表示部４３に表示させる。
動作モード設定画面では、「設定」ボタンを押すたびに、タイマ値が「５分」→「１０分」→「３０分」→「６０分」→「詳細モード」→「１分」→・・・といったように選択され、これにより所望のタイマ値を選択した後に「動作」ボタンを選択すると、タイマ値を含む設定データが対象のモニター装置１に送信される。
【００４４】
また、動作モード設定画面において「詳細モード設定」ボタンを選択することで、図１３（ii）に示す詳細モード設定画面（基本）が表示される。
詳細モード設定画面（基本設定）では、任意のタイマ値を入力することができる。
タイマ値を入力し、「設定」ボタンを選択すると、設定データが対象のモニター装置１に送信される。
【００４５】
モニター装置１は、携帯端末４から設定データを受信すると、設定データに含まれるタイマ値を記憶部１５に記憶して登録する。
ここで、モニター装置１において、被験者の離床を検出した場合には、制御部１６は、計時手段に計時を開始させて離床時間を計測する。
制御部１６は、離床時間がタイマ値を超過する否かを判定する。
【００４６】
そして、制御部１６は、離床時間がタイマ値を超過したときに、携帯端末４により所定の警報情報を出力させる通知情報を、携帯端末４により受信可能に送信する。
具体的には、制御部１６が、第三情報設定手段として動作することで、ＳＳＩＤの所定桁数のうち第三範囲の桁数（例えば、２３桁目）に対応する第三情報として、警報通知フラグ（図４（ii）参照）を設定し、当該設定されたＳＳＩＤを含むビーコンを送信する。
これにより、携帯端末４により受信したビーコンに含まれるＳＳＩＤに基づき、そのＳＳＩＤの所定桁数（２３桁目）に設定されている警報通知フラグに基づいて所定の警報を出力させることが可能となる。
【００４７】
さらに、本実施形態の離床情報処理システムにおいては、離床時間が、離床を検出した時刻に応じた所定時間を超過した場合に、携帯端末４において警報を出力させるようにすることができる。
このため、モニター装置１において、予め対象時刻とタイマ値とを対応付けた警報判定テーブルｔ３を登録する。
警報判定テーブルｔ３は、携帯端末４の操作に基づき、以下の手順で登録することができる。
【００４８】
まず、図１３（ii）に示す詳細モード設定画面（基本）に表示されている「個別１」ボタンを選択することで、図１３（iii）に示す「詳細モード設定画面（個別）」を表示させる。
詳細モード設定画面（個別）では、所望の時間帯とともに、任意のタイマ値を入力することができる。
例えば、図１３（iii）に示すように、時間帯として、「１４：００〜１６：００」を入力し、タイマ値として、「１００分」を入力することができる。
時間帯及びタイマ値を入力し、設定ボタンを選択すると、時間帯及びタイマ値を含む設定データが対象のモニター装置１に送信される。
なお、個別２、個別３など、複数の設定データを入力して送信することができる。
【００４９】
モニター装置１は、携帯端末４から設定データを受信すると、設定データから時間帯及びタイマ値の対応付けデータを取り出し、警報判定テーブルｔ３として記憶部１５に記憶する。これにより、図１４に示す警報判定テーブルｔ３が登録される。
モニター装置１において、離床を検知した場合には、この警報判定テーブルｔ３に基づいて警報判定動作が行われる。
ここで、警報判定動作について、図１５に示すフローチャートを参照して説明する。
【００５０】
図１５に示すように、モニター装置１は、離床の検知を監視している（Ｓ２１）。具体的には、離床状態が「在床」又は「覚醒（起床）」から「離床」に変化した場合に「離床」を検知する。
離床を検知すると、離床検知時刻を取得するとともに（Ｓ２２）、計時部１４により離床時間の計測（計時）を開始する（Ｓ２３）。
そして、離床時間が離床検知時刻に対応した時間を超過するか否かを判断する（Ｓ２４）。
【００５１】
図１４に示す警報判定テーブルｔ３において、「個別１」には、「対象時刻：１４：００〜１６：００」及び「タイマ値：１００分」が設定され、「個別２」には、「対象時刻：０７：００〜２２：００」及び「タイマ値：６０分」が設定され、「個別３」には、「対象時刻：２２：０１〜０６：５９」及び「タイマ値：０分」が設定されている。
このため、例えば、離床検知時刻が１５：００の場合、個別１のタイマ値が参照され、この場合、離床時間が１００分を超過すると（Ｓ２４−ＹＥＳ）、警報通知フラグをＳＳＩＤの所定桁数に設定し、ビーコンに含めて送信する（Ｓ２５）。
また、離床検知時刻が２３：００の場合、個別３のタイマ値が参照され、この場合、離床時間が０分を超過すると（Ｓ２４−ＹＥＳ）、すなわち、離床検知後即座に、警報通知フラグをＳＳＩＤの所定桁数に設定し、ビーコンに含めて送信する（Ｓ２５）。
なお、離床を検知したが、離床時間が離床検知時刻に対応した時間を超過しなかった場合（Ｓ２４−ＮＯ）、Ｓ２５をスキップし、Ｓ２１からの処理に戻る。
【００５２】
このようにすると、ビーコンを受信した携帯端末４においては、ビーコンに含まれる警報通知フラグに基づいて所定の画面表示や音を出力させることができる。
ここで、ビーコンは、常時、モニター装置１から周囲に送信され続けている。
このため、例えば、老人ホーム等の施設において、ビーコンの受信可能エリアが施設全体をカバーする場合には、管理者等は施設内のどこにいても自身が携行する携帯端末４を介して迅速に警報通知を受けることができる。
【００５３】
また、ビーコンの受信可能エリアは見通し１００ｍの範囲に及ぶことから、施設周辺の道路など、施設外の周辺領域まで当該エリアが及ぶようにモニター装置１を設置することも可能である。
このようにすると、例えば、施設周辺の道路を、定期又は不定的に通過する車両を運行するタクシー会社やバス会社等において、車両が施設周辺の道路を通過したときに、その車両の運転手が携行する携帯端末４に警報を通知するようにすることができる。
このため、施設外から被験者の監視ができるサービスを、外部のネットワークを用いずに提供することもできる。
【００５４】
また、警報判定において、判定の基準となる離床時間を、離床時刻に対応した長さ（夜間は短く、昼間は長い。）にしたのは、次の理由からである。
すなわち、一般に、被験者は、昼間は起きている時間が長いため、離床時間を短くすると、正常な行動を警報すべき対象として誤判断する可能性がある。他方、被験者は、夜間は在床中であることが正常であり、夜間に離床が検出された場合、特に、被験者が高齢の場合、徘徊の可能性がある。また、夜間は周囲が暗いため、徘徊に対し捜索などの初動が遅いほど発見が困難になる。
このため、警報判定の基準となる離床時間を、夜間は短く、昼間は長くすることで、徘徊を精度よく検知するとともに、夜間の徘徊に対する迅速な対応を可能としている。
【００５５】
（ＳＳＩＤの構成情報の暗号化）
次に、ＳＳＩＤの構成情報の暗号化について説明する。
モニター装置１のＳＳＩＤは、そのモニター装置１から発せられるビーコンの受信可能エリア内に位置する携帯端末４により受信されるが、このＳＳＩＤは、同エリア内にいる他の不特定の無線ＬＡＮ子機によって容易に閲覧することができる。
この点、本実施形態のＳＳＩＤには、被験者名などプライバシーに関わるデータ等が含まれるため問題となる。
【００５６】
このため、本実施形態の離床情報処理システムは、モニター装置１が、ＳＳＩＤの構成情報を暗号化し、携帯端末４が、ＳＳＩＤの構成情報を復号する構成を加えることができる。
具体的には、モニター装置１では、制御部１６が暗号化手段として動作することで、被験者名、離床状態情報などを暗号化し、この暗号化情報に基づいてＳＳＩＤを生成し、これをビーコンに含めて送信する。
携帯端末４では、制御部４４が、復号手段として動作することで、受信したビーコンに含まれるＳＳＩＤに対し復号処理を行い、これにより、離床状態等を特定可能な情報を復元することができる。
このようにすると、ＳＳＩＤの構成情報の傍受を防ぐことが可能となり、秘匿性を高めることができる。
【００５７】
また、暗号化・復号処理においては、パスワードやモニター装置１に固有の製造番号、ＭＡＣアドレス等を共通キーとして用いることができる。
例えば、施設共通のパスワードを共通キーとして用いることで、キーの設定を容易化し、パスワード管理等の運営を簡素化することができる。
この場合、万一パスワードを第三者に知られた場合には、施設に入居している被験者全員に関する情報が復号され、漏洩による被害が甚大となるおそれがある。
このような問題に対しては、モニター装置１ごとに設けたパスワードや、製造番号、ＭＡＣアドレスなどの製品固有の情報を共通キーとして用いることで被害を最小化することができる。
【００５８】
この場合、製品固有情報を共通キーとして用いる場合、製品固有情報を暗号化してＳＳＩＤに含めるとともに、製品固有情報以外の情報の一部を暗号化しないでＳＳＩＤに含めることもできる。
そして、モニター装置１の管理番号と製造番号をＳＳＩＤに含める場合、管理番号については暗合化せず、共通キーとして用いる製造番号を含む他の構成情報については暗号化し、これらの非暗号情報と暗号化情報をＳＳＩＤとして設定する。
このようにすると、第三者は、ビーコンに含まれるＳＳＩＤからモニター装置１の管理番号を傍受することはできるが、管理番号は被験者にとって不利益をもたらす情報ではないため問題にはならず、他方、共通キーである製造番号や被験者名は暗号化されているため傍受することはできない。
この場合、携帯端末４においては、モニター装置１の管理番号と製造番号とを対応付けたテーブルデータを予め記憶させておく。
そして、ビーコンを受信したときには、ＳＳＩＤに含まれる非暗号の管理番号を検索キーとしてテーブルデータから対応する製造番号を取り出し、この製造番号を復号キーとしてＳＳＩＤ全体を自動的に復号することができる。
このような暗号化・復号処理によれば、より安全で、かつ、利便性にも優れた離床情報処理システムを提供することができる。
【００５９】
（情報処理装置としての態様）
以上、主に、離床状態に係る生体情報に基づいて被験者の離床状態を特定可能とする離床情報処理装置、離床情報処理システム、及び離床情報処理プログラムについて説明したが、モニター装置１は、このような生体情報に限らず、様々な方法で検出された種々の変動情報に基づいてＳＳＩＤを設定し、これをビーコンに含めて送信する情報処理装置として機能することもできる。
具体的には、制御部１６が、設定手段として動作することで、センサなどの検出手段により検出される変動情報に基づき、ＳＳＩＤの所定桁数のうち、特定範囲の桁数に対応する特定情報を設定する。
そして、制御部１６は、送信手段である無線通信部１３に、この特定情報が設定されたＳＳＩＤを、ビーコンに含めて送信させる。
これにより、ビーコンの受信可能エリア内にいる携帯端末４は、ビーコンを介してＳＳＩＤを受信することができ、ＳＳＩＤを構成する特定情報に基づいて変動情報を特定することができる。
【００６０】
変動情報としては、水位センサにより検出される水位情報、光センサにより検出される人や物の移動情報、音センサにより検出される音の大きさや周波数等が想定される。
このうち、例えば、海岸の防波堤に設けた水位センサを、海岸付近の住居エリアに設置したモニター装置１と接続した場合について説明する。
この場合、水位センサからの水位情報が定期又は不定期にモニター装置１に入力され、モニター装置１では、入力した水位情報が所定の閾値を超えて変化した場合に、その変化した水位情報を特定情報としてＳＳＩＤの特定の範囲の桁数（例えば、１桁目〜３桁目）に設定する。
そして、モニター装置１は、その水位情報により構成されるＳＳＩＤをビーコンに含めて周囲に送信するようにする。
このようにすると、ビーコンの受信エリア内に居住する住民が、自身が携行する携帯端末４を介して即座に水位情報を知ることができる。
このため、津波や台風による大波等による災害に対し、迅速かつ適切に対応することが可能となる。
【００６１】
以上のように、本実施形態の離床情報処理装置、情報処理装置、離床情報処理装置を備えた離床情報処理システム及び離床情報処理プログラムによれば、被験者の離床状態等を、インターネットなどのネットワークを要さず、無線ＬＡＮを利用することで、携帯端末４を介して把握することができる。
また、無線ＬＡＮの親機と子機間における所定の接続プロセスを経ず、離床状態情報に基づいて生成されたＳＳＩＤをビーコンに含めてデータ通信を行うようにしているため、情報の受け渡しを迅速に行うことが可能となる。
【００６２】
一方、従来の離床情報処理装置において、無線ＬＡＮを用いて被験者の離床情報を携帯端末に送信する場合、所定の接続プロセスに基づく接続動作を行い、この接続動作により確立されたデータリンクを介して携帯端末に離床情報を送信するようにしている。
すなわち、データを受け渡すに先だって、接続プロセスを経る必要があり、これが、迅速な処理を阻害する要因となっていた。
また、電波強度の低いエリアや不安定なエリアについては、離床情報を安定的に受け渡すことができず、データリンクを確立するために接続プロセスが繰り返されるため、さらに迅速な処理を阻害することになっていた。
特に、複数の被験者に対する離床情報を携帯端末に受け渡す場合、上記処理が並行して複数行われるため、上記問題がより顕在化する。
【００６３】
本実施形態の離床情報処理装置、情報処理装置、離床情報処理システム及び離床情報処理プログラムによれば、従来の離床情報処理装置が改善すべきこのような課題の全部又は一部などを解決することができる。
【００６４】
以上、本発明の離床情報処理装置、情報処理装置、離床情報処理システム及び離床情報処理プログラムについて、好ましい実施形態を示して説明したが、本発明に係る離床情報処理装置、情報処理装置、離床情報処理システム及び離床情報処理プログラムは、上述した実施形態にのみ限定されるものではなく、本発明の範囲で種々の変更実施が可能であることは言うまでもない。
例えば、ＳＳＩＤの設定について、所定桁数のうちの最初の桁数を含む部分に第二情報を設定し、その後の桁数部分に第一情報を設定することができる。
すなわち、第一情報、第二情報を含め設定する情報は、任意の桁数部分に設定することができる。
【００６５】
また、本発明の離床情報処理システムは、図１６に示すように、無線ＬＡＮルータを介しインターネットなどの外部のネットワークと通信可能に接続することができる。
さらに、モニター装置１をルータモードに設定することによって、無線ＬＡＮルータによらず、外部のネットワークと接続することができる。
これにより、外部のサーバ装置５からモニター装置１にアクセスすることが可能となり、各モニター装置１から離床状態や環境情報の記録を受信（ダウンロード）し、一覧表示させることができるようになる。
【００６６】
例えば、サーバ装置において、図１７に示す集中モニタ画面を表示させることができる。
集中モニタ画面では、施設内の被験者ごとの、現在の生体情報（心拍数、呼吸数、体動の有無）、生体情報に基づく離床状態（在床情報、睡眠状態、離床状態アイコン）、環境（室温、湿度）を被験者名ごとに一覧に表示させることができる。また、警報通知数を表示することもできる。
【００６７】
また、サーバ装置５において、図１８に示す睡眠グラフ表示画面を表示させることができる。
睡眠グラフ表示画面は、対象期間（例えば、過去一ヶ月）における対象被験者の睡眠状態をグラフ化して表示するものであり、入床時刻、入眠時刻、起床時刻、離床時刻、睡眠中か覚醒中かを一見して把握できるように表示される。
このようにすると、例えば、施設にいない場合でも、遠隔から被験者の状態をリアルタイムに把握したり、分析することができる。
【００６８】
加えて、モニター装置１に保管してある様々なデータを、サーバ装置５や携帯端末４を介して取得することもできる。
例えば、図１９Ａ〜Ｃに示すパンフレットのＰＤＦデータをモニター装置１の記憶部１５に記憶させておくことによって、サーバ装置５や携帯端末４にダウンロードすることができ、これを閲覧可能に表示させることができる。
【符号の説明】
【００６９】
１  モニター装置（離床情報処理装置、情報処理装置）
１３  無線通信部（送信手段）
２  エアバッグセンサ
４  携帯端末（通信端末装置）
４１  無線通信部（受信手段）
ｔ１  モニター装置登録テーブル
ｔ２  状態識別テーブル
ｔ３  警報判定テーブル
【図１】
2019146966.tif 000003
【図２】
2019146966.tif 000004
【図３】
2019146966.tif 000005
【図４】
2019146966.tif 000006
【図５】
2019146966.tif 000007
【図６】
2019146966.tif 000008
【図７】
2019146966.tif 000009
【図８Ａ】
2019146966.tif 000010
【図８Ｂ】
2019146966.tif 000011
【図９】
2019146966.tif 000012
【図１０】
2019146966.tif 000013
【図１１】
2019146966.tif 000014
【図１２】
2019146966.tif 000015
【図１３】
2019146966.tif 000016
【図１４】
2019146966.tif 000017
【図１５】
2019146966.tif 000018
【図１６】
2019146966.tif 000019
【図１７】
2019146966.tif 000020
【図１８】
2019146966.tif 000021
【図１９Ａ】
2019146966.tif 000022
【図１９Ｂ】
2019146966.tif 000023
【図１９Ｃ】
2019146966.tif 000024